(57)【要約】【課題】  ２つの匂いセンサーを用いた場合や人（パネラー）の嗅覚によって測定する場合に比して、より多様な種類の匂いの強度や種類（香質）をより正確に測定できる匂い測定装置を提供する。【解決手段】  匂いに対する感応特性が互いに異なる３種類以上の匂いセンサー１０Ａ〜１０Ｄと、各匂いセンサーの出力値のデータを処理する演算制御部６０とを設ける。演算制御部６０は、無臭基準気体に対する匂いセンサーの出力値に基づいて、被測定気体に対する複数の匂いセンサーの出力値を補正し、複数のセンサー出力補正値それぞれを、平面直交座標系の原点から延びる互いに異なる座標軸上にとり、その座標系の複数の象限それぞれにおいて定義される要素匂いベクトルを得るように、センサー出力補正値のデータを処理する。【選択図】  図１
2005147793.tif 000002
【特許請求の範囲】
【請求項１】
匂いに対する感応特性が互いに異なる複数の匂いセンサーを用いて、被測定気体の匂いを測定する匂い測定装置であって、
該複数の匂いセンサーとして３種類以上の匂いセンサーを備え、
無臭基準気体に対する該複数の匂いセンサーの出力値に基づいて、該被測定気体に対する該複数の匂いセンサーの出力値を補正し、該複数のセンサー出力補正値それぞれを、２次元以上の座標系の原点から延びる互いに異なる座標軸上にとり、該座標系の複数の象限それぞれにおいて定義される要素匂いベクトルを得るように、該センサー出力補正値のデータを処理するデータ処理手段を備えたことを特徴とする匂い測定装置。
【請求項２】
請求項１の匂い測定装置において、
上記座標系が２次元の平面直交座標系であり、
上記データ処理手段は、上記複数のセンサー出力補正値それぞれを該平面直交座標系の原点から延びる互いに異なる座標軸上にとって上記要素匂いベクトルを得るように、該センサー出力補正値のデータを処理することを特徴とする匂い測定装置。
【請求項３】
請求項１又は２の匂い測定装置において、
上記データ処理手段で得られた複数の要素匂いベクトルを上記座標系上で表示する表示手段を備えたことを特徴とする匂い測定装置。
【請求項４】
請求項１乃至３のいずれかの匂い測定装置において、
データを記憶するデータ記憶手段を備え、
上記データ処理手段は、上記複数の要素匂いベクトルの大きさの平均値で各要素匂いベクトルの大きさを除したものを、要素匂い強度率のデータとして算出し、上記複数の要素匂いベクトルとその要素匂いベクトルが存在する象限における少なくとも一つの座標軸とがなす角度を、要素香質のデータとして算出し、該複数の要素匂い強度率のデータと該複数の要素香質のデータとを組み合わせたデータセットを、上記被測定気体の匂いに対する総合匂いデータセットとして該データ記憶手段に記憶するようにデータ処理することを特徴とする匂い測定装置。
【請求項５】
請求項１乃至４のいずれかの匂い測定装置において、
上記データ処理手段は、強度及び種類（香質）が既知の匂いについて測定したときの上記総合匂いデータセットを、その匂いの強度及び種類（香質）のデータと関連づけて上記データ記憶手段に記憶し、匂いの強度及び種類（香質）が未知の被測定気体について測定したときの上記総合匂いデータセットと、該データ記憶手段に記憶されている既知の匂いの総合匂いデータセットとを比較し、その比較結果に基づいて、該未知の匂いの種類（香質）を特定するようにデータ処理することを特徴とする匂い測定装置。
【請求項６】
請求項１乃至５のいずれかの匂い測定装置において、
上記データ処理手段は、上記複数のセンサー出力補正値それぞれを二乗して加算したものの平方根の値を、総合匂い強度のデータとして算出するようにデータ処理することを特徴とする匂い測定装置。
【請求項７】
請求項６の匂い測定装置において、
上記データ処理手段は、上記総合匂い強度の値に、上記要素強度率のデータ及び上記要素香質のデータ又は上記匂いの種類（香質）のデータによって決まる定数を乗算することにより、人の嗅覚特性に近似した匂い強度の数値を算出するようにデータ処理することを特徴とする匂い測定装置。
【発明の詳細な説明】
【技術分野】
【０００１】
本発明は、匂いに対する感応特性が互いに異なる複数の匂いセンサーを用いて匂いを測定する匂い測定装置に関するものである。
【背景技術】
【０００２】
従来の匂い測定に用いられる匂いセンサーは、測定対象の気体に含まれる匂い物質が検知面に吸着または接近してセンサーの物理特性や化学特性が変化することを利用して匂いの強さなどを測定する。そして、この匂いセンサーとしては、匂い物質が吸着または接近したときに電気抵抗が大きくなったり逆に小さくなったりするＳｎＯ２やＺｎＯ等の半導体材料を用いた匂いセンサーが知られている。この種の匂いセンサーは、そのセンサーの材料に触媒等の添加物質の種類や作動温度によって匂いに対する感応特性が変化する。即ち、匂いの種類によって匂いを検知したときのセンサーの検知信号の強度が変化する。そこで、本出願人は、かかる匂いセンサーの感応特性に着目し、感応特性が互いに異なる２つの匂いセンサーを用いて匂いの量（強さ）及び種類（香質）の両方を測定できる匂い測定装置を提案した（特許文献１参照）。この匂い測定装置は、感応特性が互いに異なる２つの匂いセンサーの検出信号の強度をそれぞれ直交座標系の互いに異なるＸ軸及びＹ軸上にとった場合に得られるベクトルの大きさと、そのベクトルの座標軸に対する傾きとに基づいて、測定対象の匂いの強さ及び種類（香質）を測定するものである。
【０００３】
【特許文献１】登録実用新案第３０７４４９４号公報
【発明の開示】
【発明が解決しようとする課題】
【０００４】
ところが、上記従来の２つの匂いセンサーを用いた測定では、多様な匂い成分を有する匂いを、すべての測定対象において人の嗅覚特性に近い測定結果を得ることが難しいという問題点があった。
例えば、ゴミ処理場などの施設から発生する臭気（悪臭）は、その臭気に含まれる多様な臭気匂い成分が人の嗅覚を強く刺激するが、上記２つの匂いセンサーでは、臭気匂い成分の識別が精度よくできないため、臭気匂い成分構成比の相違による臭気匂い強度の補正ができず、ゴミ処理場のゴミの種類によっては人間の嗅覚特性に近い測定結果を得ることが難しい。このゴミ処理場などの施設の周辺臭気を監視することは、周辺の匂い環境を常時一定基準以下にして周辺住民が快適な居住環境を維持できるよう施設の保全を行うために重要であある。そのため、わが国では悪臭防止法によって遵守すべき臭気環境基準の規制が実施されている。本法律制定の初期においては、特定臭気ガスの成分濃度（ｐｐｍ）をガスクロマトグラフなどの分析機器で測定する方法が提案された。しかし、臭気の匂い成分は単体の分子で構成されていることは殆どなく、複合成分で構成され、その成分構成も多様であり、かつ、人の嗅覚の匂い感覚と匂いの化学成分構成とを結びつける相関関係の確立は未だなされていない。そこで、公定法では、人（パネラー）の嗅覚によって希釈濃度を測定して、匂いがなくなるまでの希釈倍数の対数を１０倍する「臭気指数」で複合臭の強さを表現している。この人（パネラー）の嗅覚による方法では、パネラーの嗅覚の個人差による誤差があり、臭気の強さや種類（香質）を正確に測定できないおそれがあるという問題点を有している。さらに、この方法では、６人のパネラーを集めなければならなくコストが高い、危険なガスを吸い込み健康を害する恐れがある等の問題点も有している。
【０００５】
本発明は以上の問題点に鑑みなされたものである。その目的は、２つの匂いセンサーを用いた場合や人（パネラー）の嗅覚によって測定する場合に比して、より多様な種類の匂いの強度や種類（香質）をより正確に測定できる匂い測定装置を提供することである。
【課題を解決するための手段】
【０００６】
上記目的を達成するために、請求項１の発明は、匂いに対する感応特性が互いに異なる複数の匂いセンサーを用いて、被測定気体の匂いを測定する匂い測定装置であって、該複数の匂いセンサーとして３種類以上の匂いセンサーを備え、無臭基準気体に対する該複数の匂いセンサーの出力値に基づいて、該被測定気体に対する該複数の匂いセンサーの出力値を補正し、該複数のセンサー出力補正値それぞれを、２次元以上の座標系の原点から延びる互いに異なる座標軸上にとり、該座標系の複数の象限それぞれにおいて定義される要素匂いベクトルを得るように、該センサー出力補正値のデータを処理するデータ処理手段を備えたことを特徴とするものである。
請求項２の発明は、請求項１の匂い測定装置において、上記座標系が２次元の平面直交座標系であり、上記データ処理手段は、上記複数のセンサー出力補正値それぞれを該平面直交座標系の原点から延びる互いに異なる座標軸上にとって上記要素匂いベクトルを得るように、該センサー出力補正値のデータを処理することを特徴とするものである。
請求項３の発明は、請求項１又は２の匂い測定装置において、上記データ処理手段で得られた複数の要素匂いベクトルを上記座標系上で表示する表示手段を備えたことを特徴とするものである。
請求項４の発明は、請求項１乃至３のいずれかの匂い測定装置において、データを記憶するデータ記憶手段を備え、上記データ処理手段は、上記複数の要素匂いベクトルの大きさの平均値で各要素匂いベクトルの大きさを除したものを、要素匂い強度率のデータとして算出し、上記複数の要素匂いベクトルとその要素匂いベクトルが存在する象限における少なくとも一つの座標軸とがなす角度を、要素香質のデータとして算出し、該複数の要素匂い強度率のデータと該複数の要素香質のデータとを組み合わせたデータセットを、上記被測定気体の匂いに対する総合匂いデータセットとして該データ記憶手段に記憶するようにデータ処理することを特徴とするものである。
請求項５の発明は、請求項１乃至４のいずれかの匂い測定装置において、上記データ処理手段は、強度及び種類（香質）が既知の匂いについて測定したときの上記総合匂いデータセットを、その匂いの強度及び種類（香質）のデータと関連づけて上記データ記憶手段に記憶し、匂いの強度及び種類（香質）が未知の被測定気体について測定したときの上記総合匂いデータセットと、該データ記憶手段に記憶されている既知の匂いの総合匂いデータセットとを比較し、その比較結果に基づいて、該未知の匂いの種類（香質）を特定するようにデータ処理することを特徴とするものである。
請求項６の発明は、請求項１乃至５のいずれかの匂い測定装置において、上記データ処理手段は、上記複数のセンサー出力補正値それぞれを二乗して加算したものの平方根の値を、総合匂い強度のデータとして算出するようにデータ処理することを特徴とするものである。
請求項７の発明は、請求項６の匂い測定装置において、上記データ処理手段は、上記総合匂い強度の値に、上記要素強度率のデータ及び上記要素香質のデータ又は上記匂いの種類（香質）のデータによって決まる定数を乗算することにより、人の嗅覚特性に近似した匂い強度の数値を算出するようにデータ処理することを特徴とするものである。
【０００７】
請求項１の匂い測定装置では、匂いに対する感応特性が互いに異なる３種類以上の複数の匂いセンサーを用いる。これらの複数の匂いセンサーを用いて、被測定気体に対する測定を行う前に無臭基準気体に対する測定を行う。この無臭基準気体に対する複数の匂いセンサーの出力値に基づいて、被測定気体に対する複数の匂いセンサーの出力値を補正する。この補正により、被測定気体に対する複数の匂いセンサーの出力値から、温度などの環境条件の変動やセンサー特性のばらつき等の影響を除く。そして、これらの複数のセンサー出力補正値それぞれを、２次元以上の座標系の原点から延びる互いに異なる座標軸上にとり、その座標系の複数の象限それぞれにおいて定義される２つ以上の要素匂いベクトルを得る。この２つ以上の複数の要素匂いベクトルの大きさ及び方向は、匂いに対する感応特性が互いに異なる３種類以上の匂いセンサーから得ているので、被測定気体の匂いの強度や種類（香質）によって互いに異なる変化を示す。このように変化する２つ以上の複数の要素匂いベクトルの大きさ及び座標軸との角度のデータを用いることにより、従来の２つの匂いセンサーから得られる１つの匂いベクトルを用いる場合に比して、より多様な種類の匂いの強度や種類（香質）を測定することができる。しかも、人（パネラー）の嗅覚によって測定する場合とは異なり、人（パネラー）の嗅覚の個人差による誤差がないので、多様な種類の匂いの強度や種類（香質）をより正確に測定できる。
請求項２の匂い測定装置では、上記複数の匂いセンサーのセンサー出力補正値それぞれを平面直交座標系の原点から延びる互いに異なる座標軸上にとる。複数の匂いセンサーが５種類以上の場合は、その複数の匂いセンサーから選択した３種類又は４種類の匂いセンサーのセンサー出力補正値それぞれを互いに異なる座標軸上にとる。これにより、４つの象限のうち少なくとも２つの象限において定義される要素匂いベクトルを得る。このようにベクトルの演算処理が容易な２次元の平面直交座標系上で上記要素匂いベクトルを得るようにデータ処理を行っているので、３次元以上の座標系を用いる場合に比してデータ処理が簡易になる。
請求項３の匂い測定装置では、上記複数の要素匂いベクトルを座標系上で表示することにより、被測定気体の匂いの強度や種類に対応する各要素匂いベクトルの大きさや座標軸との間の角度（傾き）を視覚的に確認できる。
請求項４の匂い測定装置では、上記複数の要素匂いベクトルの大きさの平均値で各要素匂いベクトルの大きさを除したものを、要素匂い強度率のデータとして算出する。この各要素匂い強度率のデータは、各要素匂いベクトルの大きさを平均値で除して規格化したものであるため、各要素匂いベクトルの大きさが全体としてどのような比率になっているか等の匂いの種類（香質）に関連した要素匂いベクトルの特徴が抽出しやすくなる。さらに、上記複数の要素匂いベクトルとその要素匂いベクトルが存在する象限における少なくとも一つの座標軸とがなす角度を、要素香質のデータとして算出する。この要素香質のデータが示している値は、匂いに対する感応特性が互いに異なる複数の匂いセンサーのうち任意の２つの匂いセンサーの出力値の間の大小関係を示し、匂いの種類（香質）に関連した値である。これらの匂いの種類（香質）に関連した複数の要素匂い強度率のデータと複数の要素香質のデータとを組み合わせたデータセットを、被測定気体の匂いに対する総合匂いデータセットとしてデータ記憶手段に記憶する。この総合匂いデータセットを用いることにより、被測定気体の匂いの種類（香質）を精度良く特定することができる。
請求項５の匂い測定装置では、強度及び種類（香質）が既知の匂いについて測定したときの上記総合匂いデータセットを、その匂いの強度及び香質のデータと関連づけて上記データ記憶手段に記憶する。そして、匂いの強度及び種類（香質）が未知の被測定気体について測定したときの総合匂いデータセットと、データ記憶手段に記憶されている既知の匂いの総合匂いデータセットとを比較する。この比較結果に基づいて、総合匂いデータセットの各データの一致の度合いから、被測定気体の匂いの種類（香質）を特定することができる。ここで、上記データ記憶手段に記憶させて蓄積する既知の匂いの総合匂いデータセットの種類を増やすことにより、被測定気体の匂いの種類（香質）の識別の精度を高めることができる。
請求項６の匂い測定装置では、上記複数のセンサー出力補正値それぞれを二乗して加算したものの平方根の値を、総合匂い強度のデータとして算出する。この総合匂い強度のデータは、すべてのセンサー出力補正値の大きさに応じて変化するので、被測定気体の匂いの総合的な強度を示す値として扱うことができる。また、匂い感度特性に関して各匂いセンサー間の干渉があっても、センサー出力補正値それぞれを二乗して加算したものの平方根をとることにより、各センサー出力補正値をそのまま加算する場合に比して干渉の影響が小さくなる。
請求項７の匂い測定装置では、上記総合匂い強度の値に、要素強度率のデータ及び要素香質のデータ又は上記匂いの種類（香質）のデータによって決まる定数を乗算することにより、人の嗅覚特性に近似した匂い強度の指標値を算出する。この指標値により、被測定気体の匂いについて人の嗅覚特性に近似した匂い強度がわかる。
【発明の効果】
【０００８】
請求項１乃至７の発明によれば、匂いに対する感応特性が互いに異なる３種類以上の複数の匂いセンサーのセンサー出力補正値から、２次元以上の座標系上の複数の要素匂いベクトルを得ている。この要素匂いベクトルの大きさ及び座標軸との角度のデータを用いることにより、従来の２つの匂いセンサーから得られる１つの匂いベクトルを用いる場合に比して、より多様な種類の匂いの強度や種類（香質）を測定することができる。しかも、人（パネラー）の嗅覚によって測定する場合とは異なり、人（パネラー）の嗅覚の個人差による誤差がないので、多様な種類の匂いの強度や種類（香質）をより正確に測定できるという効果がある。
特に、請求項２の発明によれば、ベクトルの演算処理が容易な２次元の平面直交座標系上で要素匂いベクトルを得るようにデータ処理を行っているので、３次元以上の座標系を用いる場合に比してデータ処理が簡易になるという効果がある。
特に、請求項３の発明によれば、被測定気体の匂いの強度や種類に対応する各要素匂いベクトルの大きさや座標軸との間の角度（傾き）を視覚的に確認できるという効果がある。
特に、請求項４の発明によれば、匂いの種類（香質）に関連した複数の要素匂い強度率のデータと複数の要素香質のデータとを組み合わせたデータセットを、被測定気体の匂いに対する総合匂いデータセットとして記憶して用いることにより、被測定気体の匂いの種類（香質）を精度良く特定することができる効果がある。
特に、請求項５の発明によれば、既知の匂いの総合匂いデータセットをデータ記憶手段に記憶して蓄積することにより、被測定気体の匂いの種類（香質）の識別精度を高めることができるという効果がある。
特に、請求項６の発明によれば、複数のセンサー出力補正値それぞれを二乗して加算したものの平方根の値である総合匂い強度のデータにより、被測定気体の匂いの総合的な強度を示す値として扱うことができる。しかも、匂い感度特性に関して各匂いセンサー間の干渉があっても、各センサー出力補正値をそのまま加算する場合に比して干渉の影響が小さくなるという効果がある。
特に、請求項７の発明によれば、上記総合匂い強度の値を用いて算出した指標値により、被測定気体の匂いについて、人の嗅覚特性により近似した匂い強度を測定することができるという効果がある。
【発明を実施するための最良の形態】
【０００９】
以下、本発明の実施形態について図面を参照しながら説明する。
まず、本発明の実施形態に係る匂い測定装置の全体構成について説明する。図１は本発明の実施形態に係る匂い測定装置の全体構成図である。この匂い測定装置は、４種類の匂いセンサー１０Ａ、１０Ｂ、１０Ｃ、１０Ｄを有する被測定気体収容部としての密閉可能な測定チェンバー２０と、測定チェンバー２０内に被測定気体を導入するための気体供給手段３０とを備えている。気体供給手段３０は、気体導入路を形成する供給パイプ３１と、気体導入路を開閉する電磁弁３２とを用いて構成されている。また、測定チェンバー２０には、同様な構成の供給パイプ３１と電磁弁３２とを用いて構成した２つの予備の気体供給手段３０'、３０''も設けられている。
また、匂い測定装置は、測定チェンバー２０内の気体を排気するためのポンプ部４０と、気体排気路を形成する排気パイプ４１，４２とを用いて構成された気体排出手段を備えている。ポンプ部４０には、例えばエアーポンプやダイアフラム式のマイクロポンプを用いることができる。
上記電磁弁３２及びポンプ部４０を制御することにより、測定チェンバー２０内へ気体を供給したり、測定チェンバー２０から気体を排出したりすることができる。例えば、電磁弁３２を開いてポンプ部４０をオンすると、測定チェンバー２０内の気体を排気パイプ４２の排気口から排出しながら、導入供給パイプ３１の吸引口から吸引した被測定気体を測定チェンバー２０に導入することができる。そして、測定チェンバー２０内に被測定気体が満たされた状態で、ポンプ部４０をオフにするとともに電磁弁３２を閉じることにより、測定チェンバー２０内が密閉空間になり、被測定気体の匂い測定を開始することができる。
【００１０】
また、本実施形態の匂い測定装置には、図示しない標準気体発生手段で発生した無臭標準気体を導入し、そのときの匂いセンサーの出力値に基づいて測定データの補正処理ができるようになっている。上記標準気体発生手段は、例えば周囲の空気を吸い込んで活性炭を通過させることにより無臭標準気体を発生したり、市販の無臭気体ボンベから無臭標準気体を発生したりするように構成することができる。
【００１１】
上記各匂いセンサー１０Ａ〜１０Ｄは、匂いに対する感応特性が互いに異なるものであり、測定対象の匂いに応じて選択される。この匂いセンサー１０Ａ〜１０Ｄとしては、触媒を添加した金属酸化物半導体からなる匂いセンサー、合成皮膜と水晶振動子を組み合わせた匂いセンサー、バイオセンサー等などを用いることができる。これらの匂いセンサーの中で、金属酸化物半導体を用いた匂いセンサーは、耐久性、耐環境性、再現性、応答速度が良い上に、測定濃度範囲が広い。また、この金属酸化物半導体を用いた匂いセンサーは、匂い分子の濃度（匂いガス濃度）に対して対数関数に近い感度特性を持っている。すなわち、この金属酸化物半導体を用いた匂いセンサーの匂いガス濃度Ｘに対するセンサー出力信号電圧（感応出力）Ｙは、次式（１）のように対数関数で近似できる。ここで、式中のＫは匂いの種類などによって異なる定数である。
【数１】
2005147793.tif 000003
【００１２】
また、上記匂いセンサーの金属酸化物半導体としては焼結型のＳｎＯ２やＺｎＯ等が用いられ、その材料の種類、触媒の種類、構造などによって、匂いを構成する匂い分子に対する感度に大きな差が生じる。これらのＳｎＯ２やＺｎＯ等の金属酸化物半導体は、添加触媒、温度、多孔質焼結型構造の細孔径の違いによって、表１に示すような基本的な匂いガスに対する感応ガス選別を行うことができる。この細孔（Ｐｏｒｅ）は、その径により、マクロポア（５０ｎｍ以上）、メゾポア（５０〜２．０ｎｍ）、ミクロポア（２．０ｎｍ以下）のように分類される。また、表２は、添加触媒、細孔径及び温度による検出対象のガス選択性の制御例を示している。
【表１】
2005147793.tif 000004
【表２】
2005147793.tif 000005
【００１３】
ただし、上記金属酸化物半導体の匂いガス種に対する感度選択性はシャープなものでなく、各匂いセンサーは多様な匂いに反応する性質を有している。すなわち、匂いセンサーの感度選択性は、互いに相違する匂いガス相互で干渉しあっている。その感度選択性の傾向を仮に３種類の匂いセンサーで模式的に図示すれば、図２のようになる。
【００１４】
また、本実施形態の匂い測定装置は、各匂いセンサー１０Ａ〜１０Ｄの出力信号を処理するセンサー信号処理手段５０を備えている。このセンサー信号処理手段５０は、センサー回路部５１とＡＤ変換器５２とを有している。センサー回路部５１は、各匂いセンサー１０Ａ〜１０Ｄに所定の駆動電圧を供給したり各匂いセンサー１０Ａ〜１０Ｄからのセンサー出力信号（アナログ信号）を次段に受け渡したりする回路で構成されている。ＡＤ変換器５２は、センサー回路部５１から受けたセンサー出力信号（アナログ信号）を、匂いセンサーの出力値のデータ（デジタル信号）に変換する。
【００１５】
図３はセンサー回路部５１の具体的な回路構成の一例を示す説明図である。なお、図３では、匂いセンサー１０Ａの場合について示しているが、他の匂いセンサー１０Ｂ〜１０Ｄについても同様な回路構成を採用することができる。匂いセンサー１０Ａは、金属酸化物半導体１１Ａと白金薄膜１２Ａとが一体に構成されている。各白金薄膜１２Ａには、スイッチング素子５１０で発生したパルス電流が供給されて発熱される。この白金薄膜１１Ｂで金属酸化物半導体１１Ａを４００℃前後の高温に加熱することにより、周囲温度変化や水分の影響を軽減するとともに、センサーに付着した匂い分子を清浄空気で容易に洗浄除去できるようにしている。上記スイッチング素子５１０のＯＮ／ＯＦＦは、図示しないパルス発生部で発生した制御パルス信号Ｖｐを入力抵抗５１１を介してスイッチング素子５１０に入力することにより制御される。また、匂いセンサー１０Ａの検出信号が出力される出力部は、金属酸化物半導体１１Ａにそれぞれ直列に接続された抵抗器５１２と蓄電器５１３とからなる積分電圧発生回路で構成されている。この積分電圧発生回路と匂いセンサー１０との接続点から、センサー出力信号（検出信号）が出力される。
【００１６】
また、本実施形態の匂い測定装置は、ＡＤ変換器５２でデジタル信号に変換した各匂いセンサー１０Ａ〜１０Ｄの出力値についてデータ処理するデータ処理手段としての演算制御部６０を備えている。この演算制御部６０は、センサー出力値のデータ処理の機能ほか、上記電磁弁３２やポンプ部４０を含む匂い測定装置全体を制御する機能も有している。この演算制御部６０は、本匂い測定装置用に設計されたデジタル論理回路を用いて構成してもいいし、ＣＰＵ、ＲＡＭ、ＲＯＭ等からなる汎用のマイクロコンピュータを用いて構成してもよい。
【００１７】
更に、本実施形態の匂い測定装置は、表示手段としての液晶ディスプレイ等からなる表示部７０と、通信制御部８０とを備えている。表示部７０は、各匂いセンサー１０Ａ〜１０Ｄの出力値や、データ処理によって得られた匂いの強度や種類（香質）等の匂い測定結果を表示する。通信制御部８０は、匂い測定結果のデータを外部のコンピュータ９０で利用できるように、外部のコンピュータ９０との間におけるデータ送受信のための通信を制御する。
【００１８】
次に、上記構成の匂い測定装置を用いて臭気（悪臭）を測定するときの測定手順及びデータ処理について説明する。
まず、測定対象の匂いの測定に先立って、測定チェンバー２０に無臭標準気体を導入し、各匂いセンサー１０Ａ〜１０Ｄの出力信号を測定する。この測定値のデータは、演算制御部６０内のデータ記憶手段としてのメモリに保存され、その後の測定対象の匂いの測定値の補正に用いられる。この補正処理により、温度などの環境条件の変動やセンサー特性のばらつき等の影響を排除することができる。以下、この補正後の測定値を「センサー出力補正値」という。
【００１９】
次に、臭気を含む被測定気体を測定チェンバー２０に導入し、各匂いセンサー１０Ａ〜１０Ｄの出力信号を測定する。この出力信号はＡＤ変換器５２でデジタルデータに変換されて演算制御部６０に入力され、所定のデータ処理が実行される。
【００２０】
ここで、人が日常生活で感じる匂いの成分は、単一の成分（化学物質）であることは少なく、ほとんどの場合、複数の匂い成分である。このような複数の匂い成分を含む混合ガスの匂いを、いわゆる複合臭として感じている。本実施形態の匂い測定対象である臭気の匂い分子の代表例としては、メチルメルカプタン、トリメチルアミン、硫化水素、トルエン、アルデヒド、酢酸、アルコール、アンモニアが挙げられる。これらの匂い成分を複数種類含む混合ガスの匂いを、複合臭の臭気（悪臭）として感じる。
【００２１】
〔総合匂い強度〕
上記複合臭の臭気（悪臭）の総合的な匂いの強さを示す「総合匂い強度」Ｓは、次式（２）に示すように、４つの匂いセンサー１０Ａ〜１０Ｄに対応するセンサー出力補正値ａ〜ｄそれぞれを二乗して加算したものの平方根の値として求める。
【数２】
2005147793.tif 000006
【００２２】
上記（２）式で総合匂い強度Ｓを表現する場合は、次のように匂いセンサー１０Ａ〜１０Ｄの感度特性の干渉度を緩和することができる。ここで、匂いセンサー１０Ａに感度選択性を有する単一の匂い分子を有する気体について測定を行ったとする。上記（２）を変形すると次式（３）のようになる。
【数３】
2005147793.tif 000007
【００２３】
上記（３）式中の（ｂ／ａ）、（ｃ／ａ）及び（ｄ／ａ）は、その測定気体中の匂い分子の感度特性の他の匂いセンサー１０Ｂ〜１０Ｄへの干渉の度合いを示す「干渉率」ということができる。この干渉率が仮にすべて０．２程度であったとすると、上記（３）式中の干渉率の二乗の総和は０．１２になり、総合匂い強度Ｓはａ・（１．１２）１／２＝ａ×１．０６となる。従って、単純に加算して総合匂い強度を求めた場合の値（＝ａ＋ｂ＋ｃ＋ｄ＝ａ×１．６）に比して、他の匂いセンサー１０Ｂ〜１０Ｄへの干渉の影響を小さくすることができる。
また、、匂いセンサー１０Ａに感度選択性を有する単一の匂い分子を有する気体について測定を行ったときに、各匂いセンサー１０Ａ〜１０Ｄに対応するセンサー出力補正値ａ〜ｄがすべて同じ値であっても上記（２）式の総合匂い強度Ｓは、ａ・（６）１／２＝ａ×２．５となる。すなわち、単純に加算して総合匂い強度を求めた場合の値（＝ａ＋ｂ＋ｃ＋ｄ＝ａ×６）のように６倍ではなく、２．５倍となるだけであり、匂いセンサー１０Ａに感度選択性を有する単一の匂い分子の他の匂いセンサー１０Ｂ〜１０Ｄへの干渉の影響が小さくなる。
以上により、複合臭の臭気（臭気）を総合的な匂いの強さは、上記（２）式で示す総合匂い強度Ｓで表現するのが合理的である。
【００２４】
〔人の嗅覚特性により近似した匂い強度〕
上記（２）式の総合匂い強度Ｓで複合臭の臭気（悪臭）の総合的な匂いの強さを表現する場合、その匂いの種類（香質）によっては、人の嗅覚で感じる匂いの強さと乖離する場合がある。この乖離の原因としては、匂いセンサーの匂い感度特性が人の嗅覚の特性と完全に一致していないことと、各匂いセンサー間で匂い感度特性が干渉すること等が挙げられる。
そこで、次式（４）に示すように、匂いの種類（香質）ごとに決められた所定の定数Ωを乗算して総合匂い強度Ｓｔを算出するのが好ましい。この定数Ωは、匂いの種類（香質）ごとに、その種類と人の嗅覚による匂い強度とがそれぞれわかっている複数の臭気（悪臭）について測定し、その測定値Ωを演算制御部６０のメモリに保存しておく。
【数４】
2005147793.tif 000008
【００２５】
ここで、匂いセンサーが人の嗅覚に極めて近似した特性を有している場合は、上記定数Ωを１として総合匂い強度Ｓｔを算出してもよい。しかしながら、例えば硫黄成分を多く含むものに対する人の嗅覚は低濃度でも極めて高く、逆にアンモニアやトルエン等を含むものに対する人の嗅覚は低濃度に対して比較的鈍感な性質を有している。そのため、匂いセンサーの感応特性は、人の嗅覚特性を忠実に反映しない場合がある。この場合は、匂い種類（香質）ごとに、人の嗅覚特性に合わせるように上記定数Ωを設定する。この定数Ωは、言い換えれば匂いの種類（香質）によって匂い測定装置で測定した総合匂い強度に重み付けするものである。
なお、上記（４）式では、センサー出力補正値ａ〜ｄそれぞれを二乗して加算したものの平方根の値の全体に一つの定数Ωを乗算して重み付けているが、センサー出力補正値ａ〜ｄそれぞれを二乗したもののそれぞれに、互いに異なる定数Ωａ〜Ωｄを乗算して重み付けするようにしてもよい。
【００２６】
〔臭気の種類（香質）の特定〕
上記構成の匂い測定装置を用いた臭気の種類（香質）の特定は、次のように行うことができる。すなわち、各匂いセンサー１０Ａ〜１０Ｄのセンサー出力補正値それぞれを平面直交座標系の原点から延びる互いに異なる座標軸上にとり、その平面直交座標系の４つの象限それぞれにおいて定義される「要素匂いベクトル」を用いて行うことができる。
【００２７】
図４〜図７はそれぞれ、本実施形態で使用した４つの匂いセンサー１０Ａ〜１０Ｄのセンサー出力値［Ｖ］と被測定気体中の匂い成分の濃度［ｐｐｍ］との関係を示すグラフである。これらのグラフは、空気中に各匂い成分を所定の濃度だけ含有させたテスト測定用の被測定気体について測定したものである。特に、匂いセンサー１０Ｃはアンモニアに敏感なセンサーであり、匂いセンサー１０Ｄは硫化水素に敏感なセンサーである。
これらの４つの匂いセンサー１０Ａ〜１０Ｄのうち、例えば二つの匂いセンサー１０Ａ及び１０Ｂのセンサー出力補正値ａ、ｂをそれぞれ平面直交座標系のＸ軸のプラス領域及びＹ軸のプラス領域にとると、その平面直交座標系の第１象限に原点から延びるベクトルを定義できる。以下、このベクトルを「要素匂いベクトル」という。この要素匂いベクトルの長さは、匂いセンサー１０Ａ及び１０Ｂが感度を有する匂い成分の濃度が高くなる（匂いの強度が強くなる）に従って長くなっていく。また、要素匂いベクトルがＸ軸となす角度は、匂いの種類によって変化する。
【００２８】
図８は、各種匂い成分の濃度を変化させて測定した匂いセンサー１０Ａ及び１０Ｂのセンサー出力電圧値ａ、ｂをそれぞれ横軸（Ｘ軸）及び縦軸（Ｙ軸）にとって得られたグラフである。図８中において原点と各測定データ点とを結ぶことにより「要素匂いベクトル」が得られる。ここで、次式（５）で表される要素匂いベクトルの大きさ｜Ｓｅａｂ｜を「要素強度」と定義し、次式（６）で表される要素匂いベクトルの角度θａｂを「要素香質」と定義する。
【数５】
2005147793.tif 000009
【数６】
2005147793.tif 000010
【００２９】
また、他の匂いセンサーの組み合わせについても同様に定義することができ、その組み合わせの数は、６通りになる。匂いセンサーの全数をｎ個、組み合わせる匂いセンサーの数をｒ個にすると、組み合わせの数Ｐの一般式は次式（７）のようになる。
【数７】
2005147793.tif 000011
【００３０】
従って、１つの被測定気体に対する１回の測定ごとに、６つの要素匂いベクトルが得られ、６つの要素強度｜Ｓｅａｂ｜、｜Ｓｅｂｃ｜、｜Ｓｅｃｄ｜、｜Ｓｅｄａ｜、｜Ｓｅｄｂ｜、｜Ｓｅｃａ｜と、６つの要素香質θａｂ、θｂｃ、θｃｄ、θｄａ、θｄｂ、θｃａからなるデータセットが得られる。すなわち、６組の要素強度及び要素香質の組（｜Ｓｅａｂ｜，θａｂ）、（｜Ｓｅｂｃ｜，θｂｃ）、（｜Ｓｅｃｄ｜，θｃｄ）、（｜Ｓｅｄａ｜，θｄａ）、（｜Ｓｅｄｂ｜，θｄｂ）、（｜Ｓｅｃａ｜，θｃａ）からなるデータセットが得られる。これらのデータセットに基づいて、被測定気体の匂いの種類（香質）を特定することができる。
なお、この被測定気体の匂いの種類（香質）の特定には、上記要素強度の代わりに、次式（８）及び（９）で例示するように各要素強度を要素強度の平均値Ｓｘで割って規格化した「要素強度率」ＳＲａｂ、ＳＲｂｃ、ＳＲｃｄ、ＳＲｄａ、ＳＲｄｂ、ＳＲｃａを用いるのが好ましい。この要素強度率を用いた場合は、被測定気体の総合的な匂いの強度の影響が小さくなり、匂いの種類（香質）を精度よく特定することができる。
【数８】
2005147793.tif 000012
【数９】
2005147793.tif 000013
【００３１】
上記匂いの種類（香質）の特定は、例えば次のように行うことができる。まず、複数の匂い成分を所定の比率で含む複数種類の既知の複合臭（臭気）について匂い測定を行う。この匂い測定で得られた６つの要素匂いベクトルから、６組の要素強度率及び要素香質のデータ（ＳＲａｂ，θａｂ）、（ＳＲｂｃ，θｂｃ）、（Ｓｅｃｄ，θｃｄ）、（Ｓｅｄａ，θｄａ）、（Ｓｅｄｂ，θｄｂ）、（Ｓｅｃａ，θｃａ）からなるデータセットを算出し、演算制御部６０内のメモリーに保存して蓄積しておく。そして、測定対象の複合臭（臭気）を含む被測定気体について同様な匂い測定を行い、６つの要素匂いベクトルから６組の要素強度率及び要素香質のデータを算出する。この被測定気体の要素強度率及び要素香質のデータと、上記予め測定した複数種類の既知の複合臭の要素強度率及び要素香質のデータとを比較し、両者データの一致の程度から、被測定気体の複合臭の種類（香質）を特定することができる。要素強度率及び要素香質のデータの比較処理の結果に基づいて、被測定気体の複合臭に含まれる匂い成分の比率を特定することも可能である。
【００３２】
なお、上記データセット（ＳＲａｂ，θａｂ）、（ＳＲｂｃ，θｂｃ）、（Ｓｅｃｄ，θｃｄ）、（Ｓｅｄａ，θｄａ）、（Ｓｅｄｂ，θｄｂ）、（Ｓｅｃａ，θｃａ）の６組の要素強度率及び要素香質の数値の標準偏差は、データの蓄積によって算出することができる。この標準偏差を考慮してデータセットの比較処理を行うことにより、複合臭の種類（香質）の特定の精度を高めることができる。
【００３３】
また、硫化水素などの硫黄を官能基に含む匂い成分が多い場合は匂いセンサー１０Ｄが過敏に反応し、アンモニアが多い場合は匂いセンサー１０Ｃが過敏に反応する。そのため、上記データセットの数値から、複合臭の種類（香質）を容易に特定することができる。また、この場合は、後述の座標系上に表示した各要素匂いべクトルの終点を結ぶ図形によってもある程度の精度で複合臭の種類（香質）を識別して特定することができる。そして、前述の（４）式で示す総合匂い強度Ｓｔにおける定数Ωを、複合臭の種類（香質）によって変化させる。これにより、人の嗅覚による匂いの強さと総合匂い強度Ｓｔの測定値との関係を補正し、人の嗅覚の感度特性に近い総合匂い強度Ｓｔになるように測定値を倍率補正することができる。
【００３４】
図９は、各種匂い成分について測定した総合匂い強度Ｓｔの補正前の実測値と、匂い成分の濃度［ｐｐｍ］との関係を示すグラフである。このグラフからわかるように、匂い成分の種類によって総合匂い強度Ｓｔの値と濃度との関係が異なる。したがって、匂い成分の種類ごとに前述の（４）式中の定数Ωを補正することにより、どの匂い成分であっても同じ濃度であれば同じ総合匂い強度Ｓｔが得られるようにすることができる。さらに、各匂い成分について濃度と人の嗅覚による匂いの強さとの関係がわかっていれば、その関係を考慮して総合匂い強度Ｓｔを補正することにより、人の嗅覚の感度特性に近い総合匂い強度Ｓｔが得られるようになる。
【００３５】
〔要素匂いベクトルの表示〕
上記４つの匂いセンサー１０Ａ〜１０Ｄのセンサー出力補正値のデータから得られる要素匂いベクトルは、２次元の平面直交座標系上に表示することができる。この要素匂いベクトルは、匂い測定装置の表示部７０に表示してよいし、外部のコンピュータ９０にデータを送って表示するようにしてもよい。この要素匂いベクトルの振る舞いを視覚によって確認することにより、被測定気体の複合臭の種類（香質）をある程度直感的に判断することができる。
【００３６】
図１０は、４つの匂いセンサー１０Ａ〜１０Ｄのセンサー出力補正値のデータを直交座標系の各座標軸にとったときに得られる要素匂いベクトルの説明図である。図１０では、匂いセンサー１０Ａのセンサー出力補正値のデータをＸ軸のプラス側にとり、匂いセンサー１０Ｂのセンサー出力補正値のデータをＹ軸のプラス側にとっている。また、匂いセンサー１０Ｃのセンサー出力補正値のデータをＸ軸のマイナス側にとり、匂いセンサー１０Ｄのセンサー出力補正値のデータをＹ軸のマイナス側にとっている。図中の点線で示す円は、原点を中心として、各匂いセンサーのセンサー出力補正値の平均値Ｓｘを半径とする円である。
この図１０では、上記６つの要素匂いベクトルのうち４つの要素匂いベクトルＳｅａｂ，Ｓｅｂｃ，Ｓｅｃｄ，Ｓｅｄａを表示することができる。各要素強度｜Ｓｅａｂ｜、｜Ｓｅｂｃ｜、｜Ｓｅｃｄ｜、｜Ｓｅｄａ｜は、これらの要素匂いベクトルの長さとして確認することができる。また、要素香質θａｂ，θｂｃ，θｃｄ，θｄａは、各象限において各座標軸から反時計方向に要素匂いベクトルまで至る角度として確認することができる。
【００３７】
図１１は、４つの匂いセンサー１０Ａ〜１０Ｄのセンサー出力補正値に対応する座標軸を入れ替えて得られた要素匂いベクトルの説明図である。この図１１では、図１０とは異なり、匂いセンサー１０Ｂのセンサー出力補正値のデータをＸ軸のマイナス側にとっている。また、匂いセンサー１０Ｃのセンサー出力補正値のデータをＹ軸のマイナス側にとり、匂いセンサー１０Ｄのセンサー出力補正値のデータをＹ軸のプラス側にとっている。このようにセンサー出力補正値をとることにより、図１０では表示できなかった要素匂いベクトルＳｅｄｂ，Ｓｅｃａを表示し、これらの要素匂いベクトルから、残りの要素強度｜Ｓｅｄｂ｜，｜Ｓｅｃａ｜を及び要素香質θｄｂ，θｃａを視覚的に確認することができる。
【００３８】
また、上記匂い測定装置で測定した測定結果は、外部のコンピュータ９０に送ってディスプレイに表示したり、コンピュータ９０に組み込んだ所定のプログラムを使って演算処理したりするようにしてもよい。
図１２は、各匂いセンサー１０Ａ〜１０Ｄのセンサー出力補正値Ａ〜Ｄ、各要素匂いベクトルの要素強度、要素香質等を表示したコンピュータ９０のディスプレイの画面の説明図である。
また、図１３、１４、１５及び１６はそれぞれ、被測定気体中の匂い成分が硫化水素４ｐｐｍ、アンモニア１８ｐｐｍ、硫化水素０．１ｐｐｍ及びアンモニア１．８ｐｐｍの場合の要素匂いベクトルを表示したコンピュータ９０のディスプレイの画面の説明図である。各図中の分図（ａ）は、要素匂いベクトルＳｅａｂ，Ｓｅｂｃ，Ｓｅｃｄ，Ｓｅｄａを表示した画面であり、分図（ｂ）は、要素匂いベクトルＳｅａｄ，Ｓｅｄｂ，Ｓｅｂｃ，Ｓｅｃａを表示した画面である。
また、外部のコンピュータ９０において複合臭の種類（香質）を特定するためのプログラムは、一般的な数値パターン一致法を基本手法として、上記要素強度率及び要素香質のデータセットの数値パターンの一致処理を行うように作成したものを用いることができる。また、要素強度率と要素香質のデータのバラツキに対しては標準偏差による幅を設定して被測定気体の複合臭の種類（香質）を判定するようにしてもよい。
【００３９】
〔臭気濃度・臭気指数の測定〕
人の嗅覚による匂い強度の公的な表現単位として、「臭気濃度」及び「臭気指数」がある。臭気濃度は、測定対象の匂いを有する気体（空気）を無臭気体（無臭空気）で希釈していったとき、はじめて匂いを感じなくなる希釈倍数で定義される。臭気指数は、臭気濃度の常用対数値を１０倍した値である。本実施形態の匂い測定装置を用いて被測定気体の臭気濃度や臭気指数を測定するには、予め臭気濃度や臭気指数がわかっている匂いを含む複数種類のサンプル気体について測定を行っておく。この測定結果から検量曲線を求め、検量曲線のデータを演算制御部６０内に記憶して保存しておく。
【００４０】
図１７は、塗料関係の３種類の匂い成分を含む被測定気体について測定した検量曲線のグラフである。このグラフの横軸は従来のパネラーによる方法で測定した臭気指数であり、縦軸は本実施形態の匂い測定装置で測定した総合匂い強度Ｓｔの値である。図中の「吹付け１」の匂い成分は吹き付け塗装用のアクリルラッカー樹脂系塗料であり、「吹付け２」の匂い成分は吹き付け塗装用シンナーである。また、図中の「焼き付け」はアクリル樹脂系焼付け塗料である。図中の「処理前」及び「処理後」はそれぞれ脱臭処理前及び脱臭処理後を示している。なお、各匂い成分の詳しい組成を表３に示す。
【表３】
2005147793.tif 000014
【００４１】
図１７の検量曲線を参照して用いることにより、本実施形態の匂い測定装置で測定した各種塗料の総合匂い強度Ｓｔの値から、その塗料の臭気指数及び臭気濃度を求めることができる。
【００４２】
図１８は、匂い成分がアンモニアである複数被測定気体と匂い成分が硫化水素である被測定気体について測定した検量曲線のグラフである。このグラフの横軸は従来のパネラーによる方法で測定した臭気指数から求めた臭気濃度であり、縦軸は本実施形態の匂い測定装置で測定した総合匂い強度Ｓｔの値である。この図１８の検量曲線を参照して用いることにより、本実施形態の匂い測定装置で測定したアンモニアや硫化水素の総合匂い強度Ｓｔの値から、アンモニアや硫化水素を含む気体の臭気指数及び臭気濃度を求めることができる。
【００４３】
〔要素強度率ＳＲと匂いの種類（香質）との相関〕
図１９は、匂い成分がアンモニア４ｐｐｍである被測定気体と匂い成分が硫化水素１８ｐｐｍである被測定気体について測定した要素強度率ＳＲの値を表示した図（以下「匂いスペクトル図」という）である。図中の要素強度率ＳＲは、前述の（８）式及び（９）式に例示する数式を用いて算出したものである。図中左側の第一画面は、各匂いセンサー１０Ａ〜１０Ｄのセンサー出力補正値を前述の図１０に示す座標軸にとった場合の座標画面である。一方、図中右側の第二画面は、各匂いセンサー１０Ａ〜１０Ｄのセンサー出力補正値を前述の図１１に示す座標軸にとった場合の座標画面である。この第二画面では、第一画面と重複する要素強度率のデータを省略している。また、図１９の匂いスペクトル図の横軸は、各画面ごとに、Ｘ軸（プラス領域）を基準にした要素匂いベクトルの反時計方向の角度（香質）θの値をとっている。この匂いスペクトル図に示す要素強度率ＳＲと角度（要素香質）θとの相関を示す数値パターンにより、匂いの種類（香質）を識別して特定してもよい。例えば、図１９において要素強度率の値が平均値（＝１）を超えている要素匂いベクトルの角度位置（要素角度θ）に着目して、どのような匂い成分が多いかを視覚的に判断することができる。また、図１９の被測定気体の数値パターンを、予め既知の匂いについて求めてメモリに記憶しておいた複数の数値パターンと比較するようにコンピュータ処理によってパターン分析し、被測定気体の匂いの種類（香質）を特定するようにしてもよい。そして、例えばアンモニアに近い数値パターンが出たときには上記定数Ωを０．８として総合匂い強度Ｓｔを補正し、また硫化水素に近い数値パターンが出たときには上記定数Ωを１．２として総合匂い強度Ｓｔを補正する。
【００４４】
図２０は、図１９の匂いスペクトル図において要素強度率ＳＲが平均値（＝１）を超えている要素匂いベクトルの角度に対応する升目の部分に黒塗りのマークを付した特徴抽出図である。この特徴抽出図において、各匂い成分ごとに、３０度の角度単位で作成した升目にカウント数の分だけマークを付している。例えば、該当する角度範囲内でのカウント数が１の場合は、升目の４分割した部分の１カ所にマークを付し、カウント数が４の場合は升目の４分割した部分のすべてにマークを付す。このマークが上記角度についてどのように分布しているかを示すマーク分布パターンにより、被測定気体の匂いの種類（香質）を特定することができる。
また、既知の匂いの特徴抽出図をコンピュータにデータベースとして保存しておいてもよい。この場合は、未知の匂い成分を含む被測定気体の測定データから特徴抽出図を生成し、その測定した特徴抽出図のパターンと、コンピュータにデータベースとして保存した特徴抽出図のパターンとを比較する。そして、この比較の結果、両者のパターンが完全にもしくはほとんど一致すれば、その一致した匂い成分を被測定気体が含んでいると判定することができる。被測定気体について測定した特徴抽出図のパターンが、既知の匂い成分の特徴抽出図のパターンのいずれにも合致しないときは、新しく匂いの種類の名前を付与してデータベースに追加する。
また、視覚的には図２０のように表形式で表現するが、実際の演算のためには、各匂い成分ごとの３０度単位の升目に要素強度の数値を整数で記録してもよい。この場合は、未知の匂いの特徴抽出図の数値を引き算し、その引き算の結果に基づいて、匂いの種類を識別して特定することもできる。
【００４５】
以上、本実施形態によれば、匂いに対する感応特性が互いに異なる４種類の匂いセンサー１０Ａ〜１０Ｄのセンサー出力補正値ａ，ｂ，ｃ，ｄから、２次元の平面直交座標系上の複数の要素匂いベクトルＳｅａｂ、Ｓｅｂｃ、Ｓｅｃｄ、Ｓｅｄａ、Ｓｅｄｂ、Ｓｅｃａを得ている。この要素匂いベクトルの大きさ（要素強度）｜Ｓｅａｂ｜、｜Ｓｅｂｃ｜、｜Ｓｅｃｄ｜、｜Ｓｅｄａ｜、｜Ｓｅｄｂ｜、｜Ｓｅｃａ｜及び座標軸との角度（要素香質）θａｂ、θｂｃ、θｃｄ、θｄａ、θｄｂ、θｃａのデータを用いることにより、従来の２つの匂いセンサーから得られる１つの匂いベクトルを用いる場合に比して、より多様な種類の匂いの強度や種類（香質）を測定することができる。しかも、人（パネラー）の嗅覚によって測定する場合とは異なり、人（パネラー）の嗅覚の個人差による誤差がないので、多様な種類の匂いの強度や種類（香質）をより正確に測定できる。
特に、本実施形態によれば、ベクトルの演算処理が容易な２次元の平面直交座標系上で要素匂いベクトルを得るようにデータ処理を行っているので、３次元以上の座標系を用いる場合に比してデータ処理が簡易になる。
また特に、本実施形態によれば、被測定気体の匂いの強度や種類に対応する各要素匂いベクトルの大きさや座標軸との間の角度（傾き）をディスプレイに表示して視覚的に確認できる。
また特に、本実施形態によれば、匂いの種類（香質）に関連した複数の要素匂い強度率ＳＲのデータと複数の要素香質θのデータとを組み合わせたデータセットを、被測定気体の匂いに対する総合匂いデータセットを演算制御部６０のメモリに記憶して用いることにより、被測定気体の匂いの種類（香質）を精度良く特定することができる。
また特に、本実施形態によれば、既知の匂いの総合匂いデータセットを演算制御部６０のメモリに記憶して蓄積することにより、被測定気体の匂いの種類（香質）の識別精度を高めることができる。
また特に、本実施形態によれば、複数のセンサー出力補正値それぞれを二乗して加算したものの平方根の値である総合匂い強度Ｓｔのデータにより、被測定気体の匂いの総合的な強度を示す値として扱うことができる。しかも、匂い感度特性に関して各匂いセンサー間の干渉があっても、各センサー出力補正値をそのまま加算する場合に比して干渉の影響が小さくなる。
また特に、本実施形態によれば、上記総合匂い強度Ｓｔの値を用いて算出した臭気指数や臭気濃度などの指標値により、被測定気体の匂いについて、人の嗅覚特性により近似した匂い強度を測定することができる。
【００４６】
なお、上記実施形態では、４種類の匂いセンサーを用いた場合について説明したが、本発明は、３種類の匂いセンサーを用いた場合や５種類以上の匂いセンサーを用いた場合にも適用できる。
【００４７】
また、上記実施形態では、アンモニア等の悪臭である臭気の測定について説明したが、本発明は、このような臭気だけでなく他の種類の匂いの測定を行う場合にも同様に適用でき、同様な効果が得られるものである。
【図面の簡単な説明】
【００４８】
【図１】本発明の実施形態に係る匂い測定装置の全体構成図。
【図２】匂いセンサーの感度選択性の傾向を示す模式図。
【図３】同匂い測定装置の測定チェンバー内部に配置した匂いセンサーの周辺回路の説明図。
【図４】匂いセンサー１０Ａのセンサー出力値と被測定気体中の匂い成分の濃度との関係を示すグラフ。
【図５】匂いセンサー１０Ｂのセンサー出力値と被測定気体中の匂い成分の濃度との関係を示すグラフ。
【図６】匂いセンサー１０Ｃのセンサー出力値と被測定気体中の匂い成分の濃度との関係を示すグラフ。
【図７】匂いセンサー１０Ｄのセンサー出力値と被測定気体中の匂い成分の濃度との関係を示すグラフ。
【図８】各種匂い成分の濃度を変化させて測定した匂いセンサー１０Ａ，１０Ｂのセンサー出力値ａ、ｂをそれぞれ横軸（Ｘ軸）及び縦軸（Ｙ軸）にとって得られたグラフ。
【図９】各種匂い成分について測定した総合匂い強度Ｓｔの補正前の実測値と匂い成分の濃度との関係を示すグラフ。
【図１０】各匂いセンサーのセンサー出力補正値のデータを直交座標系の各座標軸にとったときに得られる要素匂いベクトルの説明図。
【図１１】各匂いセンサーのセンサー出力補正値に対応する座標軸を入れ替えて得られた要素匂いベクトルの説明図。
【図１２】各匂いセンサーのセンサー出力補正値Ａ〜Ｄ、各要素匂いベクトルの要素強度、要素香質等を表示したコンピュータのディスプレイの画面の説明図。
【図１３】（ａ）及び（ｂ）は、被測定気体中の匂い成分が硫化水素４ｐｐｍの場合の要素匂いベクトルを表示したディスプレイの画面の説明図。
【図１４】（ａ）及び（ｂ）は、被測定気体中の匂い成分がアンモニア１８ｐｐｍの場合の要素匂いベクトルを表示したディスプレイの画面の説明図。
【図１５】（ａ）及び（ｂ）は、被測定気体中の匂い成分が硫化水素０．１ｐｐｍの場合の要素匂いベクトルを表示したディスプレイの画面の説明図。
【図１６】（ａ）及び（ｂ）は、被測定気体中の匂い成分がアンモニア１．８ｐｐｍの場合の要素匂いベクトルを表示したディスプレイの画面の説明図。
【図１７】塗料関係の３種類の匂い成分を含む被測定気体について測定した検量曲線のグラフ。
【図１８】匂い成分がアンモニアである複数被測定気体と匂い成分が硫化水素である被測定気体について測定した検量曲線のグラフ。
【図１９】匂い成分がアンモニア４ｐｐｍである被測定気体と匂い成分が硫化水素１８ｐｐｍである被測定気体について測定した要素強度率ＳＲの値を表示した匂いスペクトル図。
【図２０】要素強度率ＳＲが平均値（＝１）を超えている要素匂いベクトルの角度に対応する升目の部分に黒塗りのマークを付した特徴抽出図。
【符号の説明】
【００４９】
１０Ａ，１０Ｂ，１０Ｃ，１０Ｄ  匂いセンサー
２０  測定チェンバー
３０  気体供給手段
４０  ポンプ部
５０  センサー信号処理手段
５１  センサー回路部
５２  ＡＤ変換器
６０  演算制御部
７０  表示部
８０  通信制御部
【図１】
2005147793.tif 000015
【図２】
2005147793.tif 000016
【図３】
2005147793.tif 000017
【図４】
2005147793.tif 000018
【図５】
2005147793.tif 000019
【図６】
2005147793.tif 000020
【図７】
2005147793.tif 000021
【図８】
2005147793.tif 000022
【図９】
2005147793.tif 000023
【図１０】
2005147793.tif 000024
【図１１】
2005147793.tif 000025
【図１２】
2005147793.tif 000026
【図１３】
2005147793.tif 000027
【図１４】
2005147793.tif 000028
【図１５】
2005147793.tif 000029
【図１６】
2005147793.tif 000030
【図１７】
2005147793.tif 000031
【図１８】
2005147793.tif 000032
【図１９】
2005147793.tif 000033
【図２０】
2005147793.tif 000034